(57)【要約】【課題】あらかじめ設定した出発日時以外の緊急時にも、バッテリーに十分な蓄電電力を確保して電気自動車の航続距離を確保し得るバッテリー管理装置を提供する。【解決手段】電力料金情報と、バッテリー情報と、出発予定時刻に基づいて、通常充電スケジュールを設定する第一の演算部１３と、通常充電スケジュールに基づいて電気自動車６のバッテリーを充電する充電スタンド２とを備えた電気自動車のバッテリー管理装置において、特別目的地設定部と、該特別目的地まで往復するために要する特別充電量を電力コストに関わらず直ちに充電する特別充電スケジュールを設定する第二の演算部１３を備え、特別充電スケジュールの設定に基づいてバッテリーを特別充電量まで充電する充電スタンド２を備えた。【選択図】図１
2015156748.tif 000002
【特許請求の範囲】
【請求項１】
電力料金情報を取得する電力料金情報取得部と、
電気自動車のバッテリー情報を取得するバッテリー情報取得部と、
出発予定時刻を設定する出発予定時刻設定部と、
前記電力料金情報と、前記バッテリー情報と、前記出発予定時刻に基づいて、電力コストを低減しながらバッテリーを充電する通常充電スケジュールを設定する第一の演算部と、
前記通常充電スケジュールに基づいて電気自動車のバッテリーを充電する充電スタンドと
を備えた電気自動車のバッテリー管理装置において、
特別目的地を設定する特別目的地設定部と、
前記特別目的地の設定に基づいて、該特別目的地まで往復するために要する特別充電量を電力コストに関わらず直ちに充電する特別充電スケジュールを設定する第二の演算部と
を備え、
前記特別充電スケジュールの設定に基づいて、前記バッテリーを特別充電量まで充電する前記充電スタンドと
を備えたことを特徴とする電気自動車のバッテリー管理装置。
【請求項２】
電力料金情報を取得する電力料金情報取得部と、
電気自動車のバッテリー情報を取得するバッテリー情報取得部と、
出発予定時刻を設定する出発予定時刻設定部と、
前記電力料金情報と、前記バッテリー情報と、前記出発予定時刻に基づいて、電力コストを低減しながらバッテリーを充電する通常充電スケジュールを設定する第一の演算部と、
前記通常充電スケジュールに基づいて電気自動車のバッテリーを充電する充電スタンドと、
前記バッテリーの充電電力を、家庭内の電気機器の電源として供給する放電スタンドと
を備えた電気自動車のバッテリー管理装置において、
特別目的地を設定する特別目的地設定部と、
前記特別目的地の設定に基づいて、該特別目的地まで往復するために要する特別充電量を残して前記バッテリーから前記電気機器に電力を供給する前記放電スタンドと
を備えたことを特徴とする電気自動車のバッテリー管理装置。
【請求項３】
電力料金情報を取得する電力料金情報取得部と、
電気自動車のバッテリー情報を取得するバッテリー情報取得部と、
出発予定時刻を設定する出発予定時刻設定部と、
前記電力料金情報と、前記バッテリー情報と、前記出発予定時刻に基づいて、電力コストを低減しながらバッテリーを充電する通常充電スケジュールを設定する第一の演算部と、
前記通常充電スケジュールに基づいて電気自動車のバッテリーを充電する充電スタンドと、
前記バッテリーの充電電力を、家庭内の電気機器の電源として供給する放電スタンドと
を備えた電気自動車のバッテリー管理装置において、
特別目的地を設定する特別目的地設定部と、
前記特別目的地の設定に基づいて、該特別目的地まで往復するために要する特別充電量を電力コストに関わらず直ちに充電する特別充電スケジュールを設定する第二の演算部と
を備え、
前記特別充電スケジュールの設定に基づいて、前記バッテリーを特別充電量まで充電する前記充電スタンドと、
前記特別目的地の設定に基づいて、該特別目的地まで往復するために要する特別充電量を残して前記バッテリーから前記電気機器に電力を供給する前記放電スタンドと
を備えたことを特徴とする電気自動車のバッテリー管理装置。
【請求項４】
請求項１又は３に記載の電気自動車のバッテリー管理装置において、
ユーザー端末に、前記電力料金情報取得部と、前記出発予定時刻設定部を備え、前記ユーザー端末とローカルエリアネットワークを介して接続される前記充電スタンドに前記バッテリー情報取得部と、前記第一及び第二の演算部を備えたことを特徴とする電気自動車のバッテリー管理装置。
【請求項５】
請求項１又は３に記載の電気自動車のバッテリー管理装置において、
ユーザー端末に、前記電力料金情報取得部と、前記出発予定時刻設定部と、前記第一及び第二の演算部を備え、前記ユーザー端末とローカルエリアネットワークを介して接続される前記充電スタンドに前記バッテリー情報取得部を備えたことを特徴とする電気自動車のバッテリー管理装置。
【発明の詳細な説明】
【技術分野】
【０００１】
本発明は、電気自動車に搭載されるバッテリーの蓄電電力を管理するバッテリー管理装置に関するものである。
【背景技術】
【０００２】
近年、バッテリーから供給される電力で動作するモータを動力源として走行する民生用の電気自動車が実用化されている。このような電気自動車では、十分な航続距離を確保するためには、バッテリーの充電量を最適に維持する必要がある。
【０００３】
バッテリーは、所定の充電スタンドあるいは各家庭に設置された充電スタンドで充電される。家庭に設置される充電スタンドでは、料金の安い夜間電力を使用して充電することにより、充電コストを低減するようにした充電制御装置を備えたものがある。
【０００４】
特許文献１には、あらかじめ設定した出発日時までに、電力単価の低い電力供給源を使用してバッテリーを充電する電気自動車充電装置が開示されている。
【先行技術文献】
【特許文献】
【０００５】
【特許文献１】特開２０１２−１５７２０１号公報
【発明の概要】
【発明が解決しようとする課題】
【０００６】
特許文献１に開示された電気自動車充電装置では、使用者が予め設定した出発日時までの間に、できる限り夜間電力を使用してバッテリーを充電する。従って、あらかじめ設定した出発日時より前に、緊急の所用により電気自動車を走行させる必要が生じた場合に、十分な充電量が確保されていない場合がある。
【０００７】
この発明はこのような事情に鑑みてなされたものであり、その目的はあらかじめ設定した出発日時以外の緊急時にも、バッテリーに十分な蓄電電力を確保して電気自動車の航続距離を確保し得るバッテリー管理装置を提供することにある。
【課題を解決するための手段】
【０００８】
上記課題を解決する電気自動車のバッテリー管理装置は、電力料金情報を取得する電力料金情報取得部と、電気自動車のバッテリー情報を取得するバッテリー情報取得部と、出発予定時刻を設定する出発予定時刻設定部と、前記電力料金情報と、前記バッテリー情報と、前記出発予定時刻に基づいて、電力コストを低減しながらバッテリーを充電する通常充電スケジュールを設定する第一の演算部と、前記通常充電スケジュールに基づいて電気自動車のバッテリーを充電する充電スタンドとを備えた電気自動車のバッテリー管理装置において、特別目的地を設定する特別目的地設定部と、前記特別目的地の設定に基づいて、該特別目的地まで往復するために要する特別充電量を電力コストに関わらず直ちに充電する特別充電スケジュールを設定する第二の演算部とを備え、前記特別充電スケジュールの設定に基づいて、前記バッテリーを特別充電量まで充電する前記充電スタンドとを備えたことを特徴とする。
【０００９】
この構成により、特別目的地が設定されていると、電気自動車のバッテリーが電力コストに関わらず特別充電量まで直ちに充電される。
また、上記課題を解決する電気自動車のバッテリー管理装置は、電力料金情報を取得する電力料金情報取得部と、電気自動車のバッテリー情報を取得するバッテリー情報取得部と、出発予定時刻を設定する出発予定時刻設定部と、前記電力料金情報と、前記バッテリー情報と、前記出発予定時刻に基づいて、電力コストを低減しながらバッテリーを充電する通常充電スケジュールを設定する第一の演算部と、前記通常充電スケジュールに基づいて電気自動車のバッテリーを充電する充電スタンドと、前記バッテリーの充電電力を、家庭内の電気機器の電源として供給する放電スタンドとを備えた電気自動車のバッテリー管理装置において、特別目的地を設定する特別目的地設定部と、前記特別目的地の設定に基づいて、該特別目的地まで往復するために要する特別充電量を残して前記バッテリーから前記電気機器に電力を供給する前記放電スタンドとを備えたことを特徴とする。
【００１０】
この構成により、特別目的地が設定されていると、特別充電量を残して電気自動車のバッテリーから家庭内の電気機器に電力が供給される。
また、上記課題を解決する電気自動車のバッテリー管理装置は、電力料金情報を取得する電力料金情報取得部と、電気自動車のバッテリー情報を取得するバッテリー情報取得部と、出発予定時刻を設定する出発予定時刻設定部と、前記電力料金情報と、前記バッテリー情報と、前記出発予定時刻に基づいて、電力コストを低減しながらバッテリーを充電する通常充電スケジュールを設定する第一の演算部と、前記通常充電スケジュールに基づいて電気自動車のバッテリーを充電する充電スタンドと、前記バッテリーの充電電力を、家庭内の電気機器の電源として供給する放電スタンドとを備えた電気自動車のバッテリー管理装置において、特別目的地を設定する特別目的地設定部と、前記特別目的地の設定に基づいて、該特別目的地まで往復するために要する特別充電量を電力コストに関わらず直ちに充電する特別充電スケジュールを設定する第二の演算部とを備え、前記特別充電スケジュールの設定に基づいて、前記バッテリーを特別充電量まで充電する前記充電スタンドと、前記特別目的地の設定に基づいて、該特別目的地まで往復するために要する特別充電量を残して前記バッテリーから前記電気機器に電力を供給する前記放電スタンドを備えたことを特徴とする。
【００１１】
この構成により、特別目的地が設定されていると、電気自動車のバッテリーの充電動作時には、電力コストに関わらずバッテリーが特別充電量まで直ちに充電されるとともに、放電動作時には特別充電量を残してバッテリーから家庭内の電気機器に電力が供給される。
【００１２】
また、上記の電気自動車のバッテリー管理装置では、ユーザー端末に、前記電力料金情報取得部と、前記出発予定時刻設定部を備え、前記ユーザー端末とローカルエリアネットワークを介して接続される前記充電スタンドに前記バッテリー情報取得部と、前記第一及び第二の演算部を備えることが好ましい。
【００１３】
この構成により、通常充電スケジュール及び特別充電スケジュールが充電スタンドの第一及び第二の演算部で設定される。
また、上記の電気自動車のバッテリー管理装置では、ユーザー端末に、前記電力料金情報取得部と、前記出発予定時刻設定部と、前記第一及び第二の演算部を備え、前記ユーザー端末とローカルエリアネットワークを介して接続される前記充電スタンドに前記バッテリー情報取得部を備えることが好ましい。
【００１４】
この構成により、通常充電スケジュール及び特別充電スケジュールがユーザー端末の第一及び第二の演算部で設定される。
【発明の効果】
【００１５】
本発明の電気自動車のバッテリー管理装置によれば、あらかじめ設定した出発日時以外の緊急時にも、バッテリーに十分な蓄電電力を確保して電気自動車の航続距離を確保することができる。
【図面の簡単な説明】
【００１６】
【図１】バッテリー管理装置の電気的構成を示すブロック図である。
【図２】電気自動車と充放電スタンドの電気的構成を示すブロック図である。
【図３】バッテリー管理装置の動作を示すフローチャートである。
【発明を実施するための形態】
【００１７】
以下、電気自動車のバッテリー管理装置の一実施形態を図面に従って説明する。図１に示す電気自動車のバッテリー管理装置は、一般家庭内で使用されるパソコン、タブレット等のユーザー端末１と、駐車スペース等に設置される充放電スタンド２とで構成され、ユーザー端末１と充放電スタンド２はローカルエリアネットワーク３を介して接続される。
【００１８】
また、充放電スタンド２は充放電ケーブル４及び通信ケーブル５を介して電気自動車６に接続可能である。通信ケーブル５は充放電ケーブル４に併設され、充放電ケーブル４を電気自動車６に接続すると通信ケーブル５も自動的に接続され、充放電スタンド２あるいはユーザー端末１と電気自動車６の制御ＥＣＵ７とが互いに通信可能となる。
【００１９】
前記ユーザー端末１は、外部インターネットあるいは前記ローカルエリアネットワーク３を介して送受信する送受信部８と、キーボードあるいはタッチパネル等の入力部９と、液晶ディスプレイ等の表示部１０と、演算部１１等を備えている。
【００２０】
前記充放電スタンド２は、前記ローカルエリアネットワーク３を介してユーザー端末１と送受信する送受信部１２と、演算部１３と、制御部１４を備えている。そして、制御部１４は前記通信ケーブル５を介して電気自動車６の制御ＥＣＵ７と通信可能となっている。
【００２１】
図２に示すように、前記電気自動車６には充放電ケーブル４及び通信ケーブル５を接続するインレット１５が備えられ、前記充放電スタンド２は充放電ケーブル４及び通信ケーブル５とインレット１５を介して前記制御ＥＣＵ７に接続される。
【００２２】
前記制御ＥＣＵ７は、電気自動車に搭載される各電子装備を制御するボディＥＣＵ１６と、インストルメントパネルに搭載された各種表示部の動作を制御するメーターＥＣＵ１７に接続される。
【００２３】
そして、ボディＥＣＵ１６は例えば積算計から走行距離を読み出し、バッテリーセンサーからバッテリー１９の電池残量を読み出して前記制御ＥＣＵ７に出力する。
前記ユーザー端末１は、インターネットを介して電力供給元としての電力会社１８に接続され、電力会社１８にアクセスして当該ユーザーの契約条件における電力料金情報、例えば時間帯毎の電力料金情報等を取得可能である。
【００２４】
次に、前記ユーザー端末１、充放電スタンド２及び電気自動車６の制御ＥＣＵ７の機能について説明する。
ユーザー端末１は、上記のように電力会社１８から電力料金情報を取得して充放電スタンド２に送信する機能、入力部９で入力された充電完了希望時刻すなわち通常出発日時や、希望充電量、希望走行距離等を充放電スタンド２に送信する機能、現状の電池残量を電気自動車６から充放電スタンド２を経て読み出す機能を備える。
【００２５】
また、あらかじめ設定した通常出発日時より前に、予定外に出かける必要がある施設、例えば最寄りの駅、病院、コンビニエンスストア、友人宅等の特別目的地が設定されたとき、あらかじめ格納されている地図データに基づいて、各特別目的地までの往復距離を算出して充放電スタンド２に送信する機能を備えている。
【００２６】
電気自動車６の制御ＥＣＵ７は、ボディＥＣＵ１６にアクセスして、前回充電時からの走行距離や電池残量を読み出し、充放電スタンド２に送信する機能、充放電スタンド２で設定された充電スケジュールあるいは放電スケジュールに従ってバッテリー１９の充放電動作を制御する機能等を備えている。
【００２７】
充放電スタンド２は、ユーザー端末１から送信された走行距離、電池残量、通常出発日時、希望充電量及び希望走行距離と電力料金情報に基づいて、通常出発日時までに希望充電量まで低電力コストで充電する通常充電スケジュールを演算する機能を備えている。そして、その通常充電スケジュールに基づいて電気自動車６のバッテリー１９の充電動作を制御する機能を備えている。
【００２８】
また、複数の特別目的地が設定されている場合には、当該目的地のいずれにも往復するために必要な充電量を、電力コストを考慮することなく確保するための特別充電スケジュールを演算する機能を備えている。そして、その特別充電スケジュールに基づいて電気自動車６のバッテリー１９の充電動作を制御する機能を備えている。
【００２９】
また、充放電スタンド２は電気自動車６のバッテリー１９から家屋内の電気機器に電力を供給する電力供給機能を備えている。そして、特別目的地が設定されている場合には、当該目的地まで往復するために必要な特別充電量を確保する範囲で放電動作を行う機能を備えている。
【００３０】
次に、上記のように構成されたバッテリー電源制御装置の作用を説明する。
図３に示すように、充放電スタンド２に充放電ケーブル４及び通信ケーブル５を介して電気自動車６が接続されされると、充放電スタンド２の制御部１４は電気自動車６の制御ＥＣＵ７から走行距離及び電池残量を読み出し、ユーザー端末１に転送する。そして、ユーザー端末１で設定されている通常出発日時や、希望充電量、希望走行距離、特別目的地等の設定情報を取得する（ステップ１）。
【００３１】
次いで、充電制御あるいは放電制御のいずれが設定されているかを検出する（ステップ２）。充電制御が設定されていると、ステップ３に移行してユーザー端末１から電力料金情報を取得し、次いで取得した設定情報及び電力料金情報に基づいて通常充電スケジュールを設定し、特別目的地が設定されている場合には、特別充電スケジュールを設定する（ステップ４）。
【００３２】
次いで、電力料金情報に基づいて、安い電力料金での充電制御が可能な時間帯であるか否かを判定し（ステップ５）、電力料金の安い時間帯であれば、設定された通常充電スケジュール若しくは特別充電スケジュールに基づいて充電制御を行う（ステップ６）。
【００３３】
そして、設定された希望充電量に達したか否かを判定し（ステップ７）、希望充電量に達するまでステップ５〜７を繰り返した後、充電制御を終了する。
ステップ５において、安い電力料金での充電制御が可能な時間帯ではない場合には、ステップ８に移行して、特別充電スケジュールに基づく充電制御を行う。
【００３４】
すなわち、設定されている特別目的地まで往復するに足る電池残量が確保されているす否かを判定し、十分な電池残量が確保されていない場合には充電制御を行う（ステップ９，７，５，８）。
【００３５】
ステップ８において、十分な電池残量が確保されている場合には、充電制御を終了する（ステップ１０，７）。
ステップ２において、放電制御が設定されている場合には、ステップ１１に移行して、設定されている特別目的地まで往復するに足る電池残量に対し余剰電力が確保されている否かを判定し、余剰電力が確保されている場合には、余剰電力が尽きるまで放電制御を行う（ステップ１１，１２，１４）。
【００３６】
ステップ１１において、設定されている特別目的地まで往復するに足る電池残量に対し余剰電力が確保されていない場合には、放電制御を停止する（ステップ１３）。
上記のような電気自動車のバッテリー管理装置では、次に示す効果を得ることができる。
（１）通常充電スケジュールに基づいて動作するとき、電力コストを低減しながら、電気自動車のバッテリー１９をあらかじめ設定された出発予定時刻までに希望充電量まで充電することができる。
（２）特別目的地があらかじめ設定されている場合には、特別充電スケジュールに基づいて動作して、電力コストに関わらず、特別目的地まで往復するために要する電池残量までバッテリー１９を自動的に充電することができる。従って、あらかじめ設定した出発日時以外の予定外のタイミングで特別目的地まで出かける必要が生じた場合にも、電気自動車を運転して直ちに出かけることができる。
（３）電力コストの高い時間帯で、家庭内の電気機器を電気自動車のバッテリー１９の電力を使用して動作させることにより電力コストを低減しようとするとき、特別目的地があらかじめ設定されている場合には、特別目的地まで往復するために要する電池残量を確実に残すことができる。従って、あらかじめ設定した出発日時以外の予定外のタイミングで特別目的地まで出かける必要が生じた場合にも、電気自動車を運転して直ちに出かけることができる。
【００３７】
なお、上記実施形態は以下のように変更してもよい。
・通常充電スケジュールあるいは特別充電スケジュールをユーザー端末１の演算部１１で演算して設定し、ユーザー端末１により各充電スケジュールを制御してもよい。
【符号の説明】
【００３８】
１…電力料金情報取得部（バッテリー情報取得部、出発予定時刻設定部、ユーザー端末）、２…充電スタンド（放電スタンド、充放電スタンド）、３…ローカルエリアネットワーク、６…電気自動車、１１…第一の演算部（第二の演算部、演算部）、１４…バッテリー情報取得部（制御部）、１８…電力会社、１９…バッテリー。
【図１】
2015156748.tif 000003
【図２】
2015156748.tif 000004
【図３】
2015156748.tif 000005